(57)【要約】【課題】軽量で長時間の連続使用をしても手が疲れにくく、指と掌でしっかりと握って保持が可能で刃に大きな力をかけることも容易であり、かつ握ったままの状態で除去した雑草等をつまみ取ることも可能な農具を提供する。【解決手段】握柄は長さが少なくとも４０ｍｍかつ太さ１０ｍｍ乃至３５ｍｍの棒形状であり、該刃には長さ４０ｍｍ乃至１５０ｍｍ、幅１０ｍｍ乃至３５ｍｍの薄い板状部を含み、かつ該刃先端と該刃と該握柄の取付部を結ぶ線が該握柄の中心軸となす角度が６０度以内となるように取り付ける。また、前記板状部には、少なくともその一部に前記握柄側から先端側に向かって徐々に該握柄の中心軸に向かって曲げられた略弧形状の弧状部を含んでおり、かつ該弧形状はその中心角が１０度乃至６０度とする。前記弧状部は、前記握柄側から先端側に向かって徐々にねじれた形状として全体を螺旋の一部に近い形状とし、そのねじれ角を５度乃至３０度とする。【選択図】図１
0003135019.tif 000002
【実用新案登録請求の範囲】
【請求項１】
握柄と該握柄の一端に刃を備えた農具であって、
該握柄は長さが少なくとも４０ｍｍかつ太さ１０ｍｍ乃至３５ｍｍの棒形状であり、
該刃には長さ４０ｍｍ乃至１５０ｍｍ、幅１０ｍｍ乃至３５ｍｍの薄い板状部を含み、
かつ該刃先端と該刃と該握柄の取付部を結ぶ線が該握柄の中心軸となす角度が６０度以内となるように該刃が取り付けられている
ことを特徴とする、農具。
【請求項２】
前記板状部には、少なくともその一部に前記握柄側から先端側に向かって徐々に該握柄の中心軸に向かって曲げられた略弧形状の弧状部を含んでおり、
かつ該弧状部はその中心角が１０度乃至６０度である
ことを特徴とする、請求項１に記載の農具。
【請求項３】
前記弧状部は、前記握柄側から先端側に向かって徐々にねじれた形状であり、
そのねじれ角は５度乃至３０度である
ことを特徴とする、請求項２に記載の農具。
【請求項４】
前記弧状部は、該弧状部の中心とその弧形状の中心点を結ぶ線と、前記握柄の中心軸がほぼ交差し、
かつこの際の交差角が６０度乃至９０度である
ことを特徴とする、請求項２または請求項３に記載の農具。
【請求項５】
前記刃の先端付近の重心線の延長が、前記握柄の中心軸とほぼ交差する
ことを特徴とする、請求項１乃至請求項４のいずれか１の請求項に記載の農具。
【請求項６】
前記刃は、先端が細いナイフ形状である
ことを特徴とする、請求項１乃至請求項５のいずれか１の請求項に記載の農具。
【考案の詳細な説明】
【技術分野】
【０００１】
本考案は、手動式農具に関する。より詳しくは、いわゆるガーデニングのような小規模な農作業において土壌を掘り起こしたり、雑草を取り除く際に使用する用具に関するものである。
【背景技術】
【０００２】
近年、商業目的ではなく、個人の趣味としての園芸・庭仕事（いわゆるガーデニング）を楽しむ人が増えている。このようなガーデニングは個人的に行われる非商業活動であるから、個人宅の備える庭園のような小面積の土地やプランター（草花の栽培に用いる容器）等で行われることが多い。このような小規模園芸では、従来使用されてきた農具（くわやすき）は大きすぎるために使い勝手が悪く、近年さまざまな小型の農具が提供されている。
【０００３】
例えば、特開２００２−８４８０１号公報には、握柄の前部に挾持爪を備えたアーム体と、アーム体と略垂直方向に突出した作動支点部を備えた草取り器が開示されている。この草取り器は片手の掌と手指で握柄を握ると、アーム体が手の外部に突出する程度の大きさであり、雑草の根元に挾持爪を引っ掛けるようにした状態で作動支点部を地表に押し付けるようにして梃子の原理で雑草を取り除くことができるものである。この草取り器は硬い地面に根を張った雑草であっても梃子の作用で強力に引き抜くことができる。しかし、個人の趣味としてのガーデニングでは荒地のように固い地面に生えた雑草を取り除くことはまれであり、むしろやわらかい地面に次々と生えてくる雑草を除去することが主である。やわらかい地面では、作動支点部が地面にもぐりこんでしまうため梃子の作用の恩恵が得られないばかりか、丈夫な作動支点部等を備えることによる草取り器の重量のために長時間の連続使用を行うと手が疲れがちとなる。また、草取り器を握ることで片手がふさがるため、引き抜いた草をつかむなどするにはいったん草取り器を手放すか、あるいはもう一方の手で行う必要があるが、ガーデニング作業中に頻繁に草取り器の取り置きを行うことは非効率的であるし、しばしば一方の手には別の道具や抜き取った草を入れる袋等を持っているものであることを考慮すると、もう一方の手を使う必要があることは不便である。
【０００４】
また、特開平１１−１１３３０３号公報には手袋の指先に尖った爪を供えた草取り器が開示されている。この草取り器では、地面を掘り起こす爪を指だけで支えるのであるからあまり大きな力をかけることはできず、硬い地面に生えた雑草を取り除くことは困難と考えられるものの、個人の趣味としてのガーデニングのように、主にやわらかい地面に生える雑草を除去するには十分な効果を奏することが多いと想像される。しかしながら、少し根を深く張った雑草を除去するには、地面に差し込んだ爪をこじる動作が不可欠であり、爪を指だけで支える構造である本草取り器ではこれを行うのは困難である。また、指の動きと爪の動きが一体となるので、爪が邪魔となって除去した草を指でつまみ取りにくい。
【０００５】
類似の効果を有するものとして、特開２００３−１７４８０２号公報には、土中に差し込める刃に指装着部を備えた草取り器が開示されている。本草取り器は通常は刃をたとえば人差し指一本のみで支えるが、必要に応じてこれに親指を添えて保持することも可能である。したがって、特開平１１−１１３３０３号公報に記載の草取り器よりも刃に力を加え易い。しかしながら、指二本のみで根を深く張った雑草を除去する力を発揮することは容易ではなく、根本的な解決が達成されているわけではない。また、長時間連続使用を行うと手が疲れがちとなる点も同様である。
【特許文献１】特開２００２−８４８０１号公報
【特許文献２】特開平１１−１１３３０３号公報
【特許文献３】特開２００３−１７４８０２号公報
【考案の開示】
【考案が解決しようとする課題】
【０００６】
上記説明したような問題点を解決するため、本考案が解決しようとする課題は、軽量で長時間の連続使用をしても手が疲れにくく、指と掌でしっかりと握って保持が可能で刃に大きな力をかけることも容易であり、かつ握ったままの状態で除去した雑草等をつまみ取ることも可能な農具を提供することである。また、同時に比較的小面積の地面を効率的に掘り起こす（耕す）ことが可能な農具を提供することも本考案が解決しようとしている課題である。
【課題を解決するための手段】
【０００７】
（１）上記説明した課題を解決するため、本考案に係る農具では、握柄と該握柄の一端に刃を備えた農具であって、該握柄は長さが少なくとも４０ｍｍかつ太さ１０ｍｍ乃至３５ｍｍの棒形状であり、該刃には長さ４０ｍｍ乃至１５０ｍｍ、幅１０ｍｍ乃至３５ｍｍの薄い板状部を含み、かつ該刃先端と該刃と該握柄の取付部を結ぶ線が該握柄の中心軸となす角度が６０度以内となるように該刃が取り付けられていることを特徴としている。
【０００８】
握柄を少なくとも長さ４０ｍｍとし、かつ太さ１０ｍｍ乃至３５ｍｍの棒形状とすることで、片手の親指以外の指で握柄を握る、または、片手の親指以外の指と掌とで握柄を握ることが可能になる。農具を握った際に親指が使用されないため、親指と刃によって、または親指と人差指によって除去した雑草を容易につまみ取ることができる。もっとも、農具を力強くつかむためには、少なくとも中指、薬指、小指の３本の指を使って握柄を握ることが可能であることが好ましく、握柄は少なくとも４０ｍｍの長さが必要である。一方、あまりに握柄が長くても握柄の一端が手首側に突き出してしまい使い勝手が低下するほか、重量が増加することによって農具の長時間使用時に手に疲れを感じる原因になる。一方、握柄を手全体で不都合無く握ることができれば、握柄にはこれ以上の長さは不要であるため、１２０ｍｍ以下とすることが好ましい。また、握柄の太さについても、力強く握るためには１０ｍｍ程度の太さが必要であるが、指と掌で容易に握れるために太さが３５ｍｍ以下であることが好ましい。握柄は全体としては棒形状であるが、これは円柱や角柱形状、楕円体を含むもので、要は長さが太さ（直径）よりも大きく、手で握ることが可能な形状を指している。
【０００９】
また、握柄の太さは前記範囲のうち、２０ｍｍ乃至３５ｍｍの範囲とすることが特に好ましい。ガーデニングのような小規模園芸といえども、時には硬い地面を掘り起こしたり、深く張った雑草の根を除去する場合は想定される。これには、当然強い力が必要であり、親指を含む５本の指すべてで握柄を力強くつかめることが好ましい。このためには、２０ｍｍ乃至３５ｍｍの範囲の太さの握柄を備えていることが好ましいのである。
【００１０】
刃は、地面を掘り起こしたり雑草を除去したりする部分であるから、地面に差し込みやすくするために、少なくとも先端付近は薄い板状になった板状部を有していることが好ましい。逆に言えば、先端以外の部分は薄い板状である必要性は必ずしも無く、たとえば棒状であったり、あるいは強度を確保するために板を折り曲げて「く」の字状の断面を持つようにされていても良い。
【００１１】
地面を掘り起こすためには刃にはある程度の幅がある方が使用しやすい一方で、あまりに幅が広すぎると地面に差し込みにくくなったり細かい作業が難しくなったりする弊害を生じるから、１０ｍｍ乃至３５ｍｍの範囲とすることが好ましい。刃の長さについては、短すぎると地面を十分に掘り起こしにくい一方で、長すぎると親指と刃でまたは親指と人差指で除去した雑草などをつまみ取ろうとした際に刃が地面に突き立ってしまうなど、使い勝手が悪くなる。また、重量が大きくなることによって長時間の使用時に手が疲れがちとなる意味でも長すぎることは好ましくない。具体的には、刃の長さを４０ｍｍ乃至１５０ｍｍの範囲とすることでこれらの要件をいずれも満足することが可能であり、好ましい。
【００１２】
ところで刃は、握柄の端部に取り付けられるが、ここで端部とは握柄の端面を含むがこれに限られない。例えば、握柄の端面付近、つまり握柄の端面から概ね握柄の直径以内の距離の側面に刃が取り付けられていても良い。
【００１３】
また、本考案にかかる農具では刃の取り付け角度も使い勝手に大きく影響する。本農具の考案者の研究では、刃の先端と刃と握柄の取り付け部分を結ぶ線が握柄の中心軸となす角度が６０度以内となるように刃が取り付けられていると、本考案に係る農具を握った際に刃を無理なく地面に突き立てることが可能であることが分かっている。この角度が０度の場合は、刃の先端のある方向と腕の方向がほぼ一致し、もっとも強い力で刃を地面に突き立てることができる。逆にこの角度が６０度以上に大きくなると、刃の先端のある方向が腕の方向と異なりすぎるために地面に刃を突き立てる力をかけづらくなるのである。
【００１４】
なお、本考案にかかる農具は、あくまでも刃の先端と刃と握柄の取り付け部分を結ぶ仮想的な線が、握柄の中心軸となす角度が特徴的なのであり、刃と握柄の取り付け部分で刃と握柄がなす角度は任意であることに注意が必要である。たとえ刃と握柄がなす角度がほぼ９０度であっても、刃が全体で３０度以上曲がっていれば、本考案にかかる農具として支障が無く使用できるからである。
【００１５】
また、この角度を１５度乃至４５度の範囲に設定することが特に好ましい。前記した通り、刃を地面に突き立てる力の大きさという点ではこの角度は小さいほうが大きくなるのであるが、現実には本考案に係る農具がもっとも良く使用される家庭園芸等の場面では非常に大きな力で固い地面に刃を突き立てなければならないことはまれである。むしろ、この角度が小さく、刃の向きと腕の方向がほぼ一致する状態では地面に対して腕を突き立てるように作業をすることとなるために不自然な作業姿勢となってしまう。鋭意研究の結果、本農具の考案者は、この角度を１５度乃至４５度の範囲に設定することにより、地面に刃を突き立てる際の力の大きさと自然な作業姿勢で使用できる使い勝手を両立できることを見出したのである。
【００１６】
（２）さらに本考案に係る農具では、前記板状部には、少なくともその一部に前記握柄側から先端側に向かって徐々に該握柄の中心軸に向かって曲げられた略弧形状の弧状部を含んでおり、かつ該弧状部はその中心角が１０度乃至６０度であることが好ましい。
【００１７】
ここで、図を引用して用語の補足をしておく。弧形状の中心角とは弧状部の形状を円弧と見たときの中心角のことであり、図２及び図３で弧状部中心角（７）として表示された部分の角度を指している。弧状部の形状は必ずしも完全に円弧形状である必要はなく、本考案は弧状部の形状が厳密に円弧状ではないものをも含むものである。しかしながら、刃の少なくとも一部に滑らかなカーブを有することが本考案の重要な特徴であり、カーブを有する部分をほぼ円弧とみなした場合の中心角で本考案は特徴付けられるのである。
【００１８】
雑草の根を掘り起こす場合、目的位置付近に刃を立てて指し込み、わずかに刃を上下させて雑草の根付近の土を落としつつ刃を持ち上げることで地面を不必要に痛めることを極力避けつつ雑草を取り除くことができる。しかし、刃が平板状では地面に線状の切れ目を作るのみで雑草の根付近の土を周囲から切り離すことが難しい。特に、雑草の真下に当たる部分の土を周囲から切り離すためには、斜めに深く刃を差し入れる必要がある。これでは、雑草の付近に園芸作物が存在する場合のように細かい作業が必要な場合に不都合が生じる。一方、刃に略弧形状のカーブを描く弧状部が設けられていれば、例えば地表に円を描くように刃を回転させながら動かすことで、雑草の直下の地面にコップ状の立体的な切れ目を作ることなどが容易に行えるため、容易に雑草の根のみを掘り起こすことができる。
【００１９】
また、地面を掘り起こす場合にも、目的位置付近に刃を差し込んで刃を横方向に払うように動かすことで、いわば地面を切って効率的に掘り起こすことができるが、刃に略弧形状のカーブを描く弧状部が設けられていれば、先と同じくより深い土壌との間を切り離すような立体的な切れ目が作られるために、よりスムーズに地面を掘り起こすことができるのである。
【００２０】
もっとも、弧状部のカーブが弱すぎると、当然ながら刃が完全に平らな場合に近い結果しか得られない。逆にあまりに弧状部のカーブが強すぎると刃を地面に突き立てにくくなってしまう。そこで略弧形状の描く円弧の中心角が１０度乃至６０度の範囲とすれば、刃を地面に突き立てることが容易であることと、立体的に地面に切れ目を作る効果が得られることとを両立できるのである。
【００２１】
（３）さらに本考案に係る農具では、前記握柄側から先端側に向かって徐々にねじれた形状であり、そのねじれ角は５度乃至３０度であることが好ましい。
【００２２】
刃が握柄側から先端側に向かって握柄の中心軸側に徐々に曲がりつつ、同時に徐々にねじれた形状であるので、結局、刃は螺旋の一部に近い形状になっている。ここで、一実施例の図を引用してこの形状について補足をしておく。図７（Ａ）及び図７（Ｂ）は本考案に係る農具の一実施例を異なる角度から観察した状態を示す説明図であるが、刃は握柄への取り付け部から先端に向かうにつれて握柄の中心軸方向に向きを変えつつ、徐々にねじれていく形状になっており、結局螺旋の一部に近い形状となる（特に図７（Ｂ）にて顕著に観察できる）。
【００２３】
刃が螺旋の一部に近い形状であることで、刃を地面に差し込む場合に、単純に手に握った握柄に力をかけて刃を突き刺すのではなく、握柄をひねるようにして回転させつつ押し込むことで刃を地面にねじ込むことが容易となる。ちょうど螺旋部を有するコルク抜き（英語のｃｏｒｋｓｃｒｅｗ）をコルク栓にねじ込む要領であり、特に根が太く強靭な雑草が繁茂している状態の固い地面であっても小さな力で刃を突き立てることができるという効果が得られる。
【００２４】
なお、コルク抜きの場合と異なり、地面に対しては極端に深く刃をねじ込む事態は想定しがたく、従って刃の形状もコルク抜きのように何周にもわたる螺旋形状とすると逆に使い勝手が悪くなる。本農具の考案者の研究では、地面に刃を差し込む用途ではねじれ角が５度乃至３０度程度が好ましいことが分かっている。従って、刃は完全な螺旋形状にはならず、螺旋の一部に近い形状となる。
【００２５】
（４）さらに本考案に係る農具では、前記弧状部は、該弧状部の中心とその弧形状の中心点を結ぶ線と、前記握柄の中心軸がほぼ交差し、かつこの際の交差角が６０度乃至９０度であることが好ましい。
【００２６】
ここで、再度図を引用して用語の補足をしておく。該弧状部の中心とその弧形状の中心点を結ぶ線は、図２及び図３で弧状部中心径線（５）として表示されている。握柄の中心軸は、同図中に握柄中心軸（４）として表示されている。これらの交差角とは、同図中に刃取付角度（６）として表示された部分の角度を指している。
【００２７】
さて、該弧状部の中心とその弧形状の中心点を結ぶ線とは、要は弧状部のつくる略弧形状の直径に当たる線であり、この線の両側に弧状部が広がっている。この線と握柄の中心軸の交差角が小さいということは、刃が握柄に対して外に向かって突き出るような形状であることを意味し、逆に交差角が大きいということは、相対的に刃が外に向かっては突き出ていないことを意味し、さらに、交差角が大きくなると、刃が内側を向くことを意味する。
【００２８】
この角度にも好ましい範囲があり、あまりに小さい場合やあまりに大きい場合には刃の向きが腕の方向と異なりすぎるために地面に刃を突き立てる力をかけづらくなってしまう。本農具の考案者の研究によれば、これが６０度乃至９０度の範囲であれば、本農具を握った際に自然な姿勢で刃の先端を地面に突き立てることができ、使い勝手が特に良い。
【００２９】
（５）さらに本考案に係る農具では、前記刃の先端付近の重心線の延長が、前記握柄の中心軸とほぼ交差することが好ましい。
【００３０】
ここで、図を引用して用語の補足をしておく。刃の先端付近の重心線とは、図２及び図３で刃先端重心線（８）として表示されている。これは、刃の先端部の２〜３ｃｍ程度の長さの範囲の重心線であり、刃が滑らかなカーブを描いている場合はほぼ接線と一致する。
【００３１】
この重心線は刃を地面に突き立てる際に刃に力がかかる方向を示しているのであるから、これが握柄の中心軸と交差するということは、刃を地面に突き立てる際に握柄をその中心軸に垂直な軸に沿って回転させるような力が握柄を握る手にかかるものの、握柄をひねるような力はかからないことを意味している。このような構造には、人間の手の特性上の理由があり、手首をある１つの方向に曲げるような力が多少かかってもこれをこらえることは容易であるが、手首をひねるような力が加わった場合にこれをこらえづらく、短時間に疲れを感じてしまうという事情による。つまり、手首を曲げるような力は加わっても、手首をひねるような力は加わらないため、長時間の使用をしても疲れを感じにくいのである。
【００３２】
また、さらに重心線が握柄を通過するように設定されていればさらに好ましい。手で握柄を握った場合、重心線が握柄を通過していれば握柄を回転させるような力すら発生せず（作用力が支持点を通過するためモーメントが０となる）、純粋に手を押す力のみとなるため、ますます疲れを感じにくくなるからである。
【００３３】
（６）さらに本考案に係る農具では、前記刃は、先端が細いナイフ形状であることが好ましい。
【００３４】
本農具は主にガーデニングなどの個人の趣味としての小規模園芸で狭い土地を軽く掘り起こして耕したり、やわらかい地面に次々と生えてくる雑草を除去することに主眼を置いている。したがって、幅広の刃を用いて広い面積を効率的に耕す鍬とは異なり、目的の地面や雑草のみを選択的に狙って掘り起こすことが容易な、先端が細いナイフ形状の刃を備えることが好ましい。もっとも、ここでナイフ形状とは必ずしも鋭利に研ぎ上げられて物を切断し得る状態とすることを指すわけではない。あくまでも、刃の形状をいわゆる小刀の刃に近い形状とすることで細かい作業を容易に行い得るようにするのである。
【００３５】
（７）また、前記刃は前記握柄端部近傍の側面から突出するように取り付けられていることが好ましい。
【００３６】
刃が握柄端部に取り付けられている場合、握柄を握ると刃が人差指と親指の間から突出するような状態になるのが自然である。この場合、物をつまみあげる場合は、親指と刃で摘むか、あるいは親指と人差指で刃を抱え込みつつ親指と人差指で摘むことになる。このような持ち方も決して無理のあるものではないが、やや不自然な使用感となることは否めない。一方、刃が握柄端部近傍の側面から突出するように取り付けられていると、とくに握柄を中指、薬指、小指の３本の指またはこれらと掌で握った場合に、刃が人差指と中指の間から突出するように持つことができる。この場合、人差指と親指の間に何も無いため、取り除いた雑草などをまったく自然につまみ上げることができる。
【考案の効果】
【００３７】
（１）以上説明したとおり、本考案に係る農具では、片手の中指、薬指、小指の３本の指と掌で握柄を力強く握ることが可能かつ農具自体が軽量で、長時間使用しても手が疲れにくい。また、個人の趣味としてのガーデニングには十分な幅・深さで地面や雑草を掘り起こすことが可能であり、しかも除去した雑草などを農具の取り置き無しに人差指と親指でつまみ上げることができる。
【００３８】
（２）また、握柄側から先端側に向かって徐々に該握柄の中心軸に向かって曲げられた略弧形状の弧状部を含む刃の形状とすることで、より軽い力でスムーズに地面を掘り起こすことを可能とする。
【００３９】
（３）刃が握柄側から先端側に向かって握柄の中心軸側に徐々に曲がりつつ、同時に徐々にねじれた形状とし、刃が螺旋の一部に近い形状を描くようにすることで、固い地面であっても、螺旋部を有するコルク抜きをコルク栓にねじ込む要領で小さな力で刃を突き立てることを可能とする。
【００４０】
（４）さらに、刃の少なくとも一部の弧状部の中心とその弧形状の中心点を結ぶ線と、握り柄の中心軸がほぼ交差し、かつこの際の交差角が６０度乃至９０度とすることで、自然な姿勢で地面を掘り起こした軽く耕したり、雑草を除去したりすることを可能とする。
【００４１】
（５）また、刃の先端付近の重心線の延長が、前記握柄の中心軸とほぼ交差するように設定することで、刃を地面に突き立てる際に手首をひねろうとする力が発生せず、長時間の作業を行っても疲れを感じにくい農具とすることができる。
【００４２】
（６）刃の先端を先端が細いナイフ形状とすることで、個人のガーデニングに必要な、目的の土地や雑草のみを狙った細かい作業を行うことが容易となる。
【００４３】
（７）加えて、握柄端部近傍の側面から突出する様に刃を設けることで、片手の中指、薬指、小指の３本の指と掌で握柄を握った際に、人差指と親指の間に何も無い状態で本考案に係る農具を使用することが可能で、取り除いた雑草などを人差指と親指でまったく自然につまみ上げることができる。
【考案を実施するための最良の形態】
【００４４】
以下、本考案に係る農具の実施例を図面を用いて説明する。
【実施例１】
【００４５】
図１は、本考案に係る農具の１実施例を示す説明図である。握柄（１）は木材を略円柱状に加工して製作されたものであり、直径を約２０ｍｍ、長さを約８０ｍｍとしている。握柄（１）の先端部近傍の側面には刃（２）が取り付けられている。刃（２）はさびにくいステンレス板を加工して製作されており、幅を約２０ｍｍ、長さを約６０ｍｍとしている。片手の中指、薬指、小指と掌で握るのに必要十分なだけの小さな握柄（１）と、地面を掘り起こすのに必要十分なだけの小さな刃（２）のみからなるので、本考案にかかる農具はわずか１００ｇ未満の重量となっており、長時間使用しても手が疲れるような事態を生じにくい。
【００４６】
刃（２）は、その端部に面状に握柄（１）と接する部分を設けて貼付している。ただし、取り付け方法はこれに限られず、刃を握柄にねじ止めする他、握柄にくぼみを設けて刃を圧入する等、任意の方法を用いることができる。また、使用者が刃（２）を交換できるようにしてもよい。
【００４７】
握柄（１）を片手の中指、薬指、小指と掌で握ると、刃（２）は人差指と中指の間から外部に突出する状態となり、人差指と親指の間には握柄（１）も刃（２）も存在しない状態となる。従って、除去した雑草を自然に人差指と親指でつまみ上げることができる。
【００４８】
また、刃（２）には握柄側から先端側に向かって徐々に握柄の軸に向かって曲げられた板状部（３）が設けられている。本農具を横方向から観察した場合、刃（２）は円弧形状を描くが、このときの中心角は約３０度としている。さらに、刃（２）を円弧形状と見た際の中心とその円弧形状の中心点を結ぶ線と、握柄の中心軸はほぼ交差し、かつこの際の交差角が６０度となるようにしている。このような刃（２）形状と取り付け角度の選択によって、小規模園芸で使用しやすい農具が得られる。
【００４９】
また、本実施例では板状部（３）は刃（２）の一部であり、一体構造になっているが、これらを別々の部品として接合する構成としてもよい。たとえば、板状部を棒状の部品と接続したもの全体を刃としても良い。
【００５０】
なお、本実施例では刃（２）の先端（本実施例では板状部（３）の先端と一致する）はへら状の形状となっており、地面を平坦にならしたり、あるいは簡易的な移植小手としての利用を可能としている
【実施例２】
【００５１】
図４及び図５は、本考案に係る農具の別の１実施例を示す説明図である。図４（Ａ）〜（Ｃ）は、それぞれ上面図、側面図、正面図であり、図５には本考案にかかる農具の特徴がより明確に現れるように斜視図を示している。
【００５２】
この実施例では、刃（２）の先端（本実施例では板状部（３）の先端と一致する）を先端が細いナイフ形状としている。また、刃が握柄側から先端側に向かって握柄の中心軸側に徐々に曲がりつつ、同時に徐々にねじれた形状とし、結果として刃（２）が螺旋の一部に近い形状となっている。また、刃（２）の先端約２ｃｍ程度の範囲の部分の重心線は、握柄（１）の中心軸とほぼ交差するように設定している。
【００５３】
刃（２）が螺旋の一部に近い形状であるので、根が太く強靭な雑草が繁茂している状態の固い地面であっても、螺旋部を有するコルク抜きをコルク栓にねじ込む要領で小さな力で刃を地面にねじ込むことができる。また、刃（２）の先端が小刀のように鋭く尖っていることで、さらに地面に突き刺しやすく、かつ刃（２）を横方向に払うように動かした際に地面に曲面状に切れ目を作り、スムーズに掘り起こすことができる。また、目的の地面や雑草のみを掘り起こすといった、精密な作業も容易である。
【００５４】
また、刃（２）の先端付近の重心線が握柄（１）の中心軸とほぼ交差するように設定されているので、固い地面に刃（２）を突き立てる際も手首をひねるような力がかからず、長時間の作業を行っても疲れを感じにくい。
【実施例３】
【００５５】
図６及び図７は、本考案に係る農具の別の１実施例を示す説明図である。図６（Ａ）〜（Ｃ）は、それぞれ上面図、側面図、正面図であり、図５（Ａ）及び（Ｂ）は本考案にかかる農具の特徴がより明確に現れるように、異なる２方向から観察した斜視図を示している。
【００５６】
本実施例は、刃（２）の長さを約１５０ｍｍとしている他は、実施例２の場合と同じである。刃（２）の長さを長くすることによって、若干重量が大きくなるものの、根の深い雑草を掘り起こす場合に使い勝手が良くなる。また、刃（２）を深く地面に突き立てるには一般に大きな力が必要になるが、刃（２）が螺旋の一部に近い形状であることによって、前記の通り小さな力でこれを行える。この効果は、長い刃で深く地面に突き立てる本実施例の場合にますます顕著である。
【産業上の利用可能性】
【００５７】
以上説明したとおり、本考案に係る農具は、主にガーデニングのような個人の趣味としての小規模園芸において地面や雑草を掘り起こす際に大いに役立つものである。
【図面の簡単な説明】
【００５８】
【図１】本考案に係る農具の実施方法を示した説明図である。（実施例１）
【図２】本考案に係る農具の特徴を示す説明図である。
【図３】本考案に係る農具の特徴を示す説明図である。
【図４】本考案に係る農具の実施方法を示した説明図である。（実施例２）
【図５】本考案に係る農具の実施方法を示した説明図である。（実施例２）
【図６】本考案に係る農具の実施方法を示した説明図である。（実施例２）
【図７】本考案に係る農具の実施方法を示した説明図である。（実施例３）
【符号の説明】
【００５９】
１    握柄
２    刃
３    板状部（弧状部）
４    握柄中心軸
５    板状部中心径線
６    刃取付角度
７    弧状部中心角
８    刃先端重心線
【図１】
0003135019.tif 000003
【図２】
0003135019.tif 000004
【図３】
0003135019.tif 000005
【図４】
0003135019.tif 000006
【図５】
0003135019.tif 000007
【図６】
0003135019.tif 000008
【図７】
0003135019.tif 000009